(57)【要約】      （修正有）【課題】低コストで耐熱性に優れ、燃焼時に有毒ガスが発生するおそれもない耐熱シート材及びこの耐熱シート材によって形成される防炎具を提供する。【解決手段】径が１×１０−８ｍｍ〜１×１０−６ｍｍの炭素微粒子を所定量の水に混合して形成される炭素液が含浸された薄板状のシート本体と、シート本体の所望箇所に配置され、シート本体を所定箇所に取り付けるための１又は複数個の取付部とを備える。好ましくは、シート本体は、フェルト又は不織布製である。【選択図】図１
0003184908.tif 000002
【実用新案登録請求の範囲】
【請求項１】
径が１×１０-8ｍｍ〜１×１０-6ｍｍの炭素微粒子を所定量の水に混合することによって形成される炭素液が含浸された薄板状のシート本体と、
前記シート本体の所望箇所に配置され、前記シート本体を所定箇所に取り付けるための１又は複数個の取付部とを備えていることを特徴とする耐熱シート。
【請求項２】
前記シート本体が、フェルト又は不織布製であることを特徴とする請求項１に記載された耐熱シート材。
【請求項３】
前記請求項１又は２に記載された耐熱シート材で形成された防炎具。
【考案の詳細な説明】
【技術分野】
【０００１】
本考案は、耐熱シート材及び該耐熱シート材によって形成される防炎具に関する。本考案の耐熱シート材は、建築内装材、建築断熱材、非導伝材の他、車両、船舶、航空機の内装材等の広範な用途に使用される。また、本考案の防炎具には、火災や地震の避難時に使用される防護服、頭巾、防護マスク、寝具、健康保護材等が含まれる。
【背景技術】
【０００２】
従来、耐熱シート材としては、防炎塗料を塗布したり防炎材を含浸させたりしたシート材、或いは材料自体が耐熱効果を有するアルミニウムなどが使用されている。
【考案の概要】
【考案が解決しようとする課題】
【０００３】
しかしながら、防炎塗料を塗布したり防炎材を含浸させたりしたシート材は、燃焼時に有毒ガスが発生するという不都合がある。また、アルミニウム製の防炎具は、アルミニウム自体が高価であるため、コスト面で問題があるとともに、加熱したアルミニウムが肌に接触すると、火傷を負うという課題もある。さらに、アルミニウム製の防炎具は、一般に薄くて厚みがないため、衝撃に対する抵抗性がないという課題もある。このように、従来の耐熱シート材及び該耐熱シート材によって形成される防炎具は、コスト面、環境面、及び使い勝手の点で改善すべき点があるため、これらの改善点を克服した製品が要請されている。
【０００４】
本考案は、このような状況に鑑みて開発されたものであって、比較的低コストで耐熱性に優れ、燃焼時に有毒ガスが発生するおそれもない耐熱シート材及び該耐熱シート材によって形成される防炎具を提供することを目的としている。
【課題を解決するための手段】
【０００５】
本願請求項１に記載の耐熱シート材は、径が１×１０-8ｍｍ〜１×１０-6ｍｍの炭素微粒子を所定量の水に混合することによって形成される炭素液が含浸された薄板状のシート本体と、前記シート本体の所望箇所に配置され、前記シート本体を所定箇所に取り付けるための１又は複数個の取付部とを備えていることを特徴とするものである。
【０００６】
本願請求項２に記載の耐熱シート材は、前記請求項１の耐熱シート材において、前記シート本体が、フェルト又は不織布製であることを特徴とするものである。
【０００７】
本願請求項３に記載の防炎具は、前記請求項１又は２に記載された耐熱シート材で形成されていることを特徴とするものである。
【考案の効果】
【０００８】
本考案の耐熱シート材及び該耐熱シート材によって形成される防炎具は、良好な耐熱性を有し、比較的低コストで製造することができ、燃焼時に有毒ガスが発生しないという効果を奏する。また、本考案の耐熱シート材及び該耐熱シート材によって形成される防炎具は、用途に応じて取付部を設けることにより、使用者にとって使い勝手のよい製品が提供される。本考案の耐熱シート材及び該耐熱シート材によって形成される防炎具は、洗濯することができるので、汚れても洗濯することにより繰り返し使用することができる。また、シート本体をフェルトで形成すると、或る程度の厚みを有するので、耐衝撃性を期待することができる。また、本考案の耐熱シート材及び該耐熱シート材によって形成される防炎具は、保温効果も有するので、四肢や腰等を温める健康保温材を含む各種保温シートとしての役目を期待することもできる。さらに、火災時に本考案の耐熱シート材を濡らして口に当てることにより、吸煙量を軽減する吸煙具としての副次的効果を期待することができる。
【図面の簡単な説明】
【０００９】
【図１】考案明の好ましい実施の形態に係る耐熱シート材を模式的に示した図である。
【図２】種々の形態の取付部を示した図である。
【図３】考案明の好ましい実施の形態に係る耐熱シート材で形成された防炎具の例を示した図である。
【考案を実施するための形態】
【００１０】
次に図面を参照して、本考案の好ましい実施の形態に係る耐熱シート材について詳細に説明する。図１は、本考案の好ましい実施の形態に係る耐熱シート材を模式的に示した図である。
【００１１】
本考案の好ましい実施の形態に係る耐熱シート材は、薄板状のシート本体と、シート本体内に含浸される所定の炭素液とを含む。すなわち、耐熱シート材は、薄板状のシート本体に所定の炭素液が含浸されて成るものである。シート本体に含浸される炭素液は、径が１×１０-8ｍｍ〜１×１０-6ｍｍの炭素微粒子を所定量の水に混合することによって形成される液体である。炭素液における炭素微粒子の割合は、全体の２容量％であるのが好ましい。
【００１２】
耐熱シート材に用いられるシート本体としては、フェルト又は不織布が好ましいが、炭素液が含浸される他の公知の適当な材料を使用してもよい。
【００１３】
本考案の好ましい実施の形態に係る耐熱シート材はまた、シート本体の所望箇所に配置され、シート本体を所定箇所に取り付けるための１又は複数個の取付部を備えている。取付部としては、例えば、面状ファスナ、スナップ、紐、又はゴムバンドなどがあげられる。図２（ａ）は、面状ファスナが取り付けられている耐熱シート材、図２（ｂ）は、紐が取り付けられている耐熱シート材、図２（ｃ）は、ゴムバンドが取り付けられている耐熱シート材をそれぞれ示した図である。耐熱シート材の用途に応じて、使い勝手のよい取付部が選定される。
【００１４】
図３は、本考案の好ましい実施の形態に係る耐熱シート材によって形成される防炎具を例示したものであり、図３（ａ）は、防炎頭巾、図３（ｂ）は、防炎服を示している。
【００１５】
好ましくは、耐熱シート材にセラミック粒子を付着させることができる。このような耐熱シート材は、アイパッドやマスクとして使用する場合により効果的となる。
【００１６】
本考案の耐熱シート材は、耐熱性に優れるとともに、燃焼したとしても有毒ガスが発生しないという特性を有している。また、本考案の耐熱シート材は、非導伝性を有しているため、非導伝材としても使用できる。また、本考案の耐熱シート材は、軽量で吸水性が低く、弱撥水効果があるため、取り扱い易い素材である。また、本考案の耐熱シート材は、乾燥し易いため、避難用の防炎具として使用した場合に、体温保持の装具として活用することもできる。また、本考案の耐熱シート材は、断熱性にも優れているため、結露防止材として使用することもできる。また、本考案の耐熱シート材の構成要素である炭素液が消臭効果も有するため、寝具等の介護用品として使用することもできる。さらに、通常のマスクの内側に本考案の耐熱シート材を装着して使用することにより、保湿シートとして使用することもできる。
【００１７】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１８】
例えば、図３に示される防炎具は、単なる例示的にものにすぎず、これらの以外の防炎具を本考案の耐熱シート材で形成してもよい。また、図３に示される防炎具の形状や寸法なども本考案の一例を示したものであり、頭巾や防護服の形状を変更したり寸法を変えたりしてもよい。
【図１】
0003184908.tif 000003
【図２】
0003184908.tif 000004
【図３】
0003184908.tif 000005